(57)【要約】      （修正有）【課題】互いに逆位相の交流電源で駆動されている伝送装置同士が、伝送線のリーク電流によるノイズを抑制し得る信号伝送システムを提供する。【解決手段】給電機能を備えた第１の信号伝送装置から給電機能のない第２の信号伝送装置が共通の伝送線接続された信号伝送システムであって、上記第１の信号伝送装置は、一対の電源端子のそれぞれに、一端をその装置のグランドレベルに接続したコンデンサを接続し、該一対の電源端子より交流電源の供給を受けて直流電源を生成するための電源部と、上記一対の伝送線に接続される一対の送受信端子と、この一対の送受信端子に直流遮断コンデンサを介在させて接続された平衡型送受信器とを有し、上記電源部をチョークコイルを介して、上記一対の送受信端子に接続して、伝送線に給電する給電部とを備え、かつ上記第２の信号伝送装置は、上記給電用チョークコイルを除いて同じとした。【選択図】  図１
2005184135.tif 000002
【特許請求の範囲】
【請求項１】
外部の交流電源に接続され、給電機能を有した第１の信号伝送装置と、外部の交流電源に接続され、給電機能のない第２の信号伝送装置とを接続し、第１の信号伝送装置から第２の信号伝送装置に伝送線を通じて相互に信号を伝送するようにした信号伝送システムであって、
上記第１の信号伝送装置は、
一対の電源端子のそれぞれに、一端をその装置のグランドレベルに接続したコンデンサを接続し、該一対の電源端子より交流電源の供給を受けて直流電源を生成するための電源部と、
上記一対の伝送線に接続される一対の送受信端子と、この一対の送受信端子に直流遮断コンデンサを介在させて接続された平衡型送受信器とを有し、上記電源部から直流電源を受けて作動される伝送回路部と、
上記電源部をチョークコイルを介して、上記一対の送受信端子に接続して、伝送線に給電する給電部とを備え、かつ
上記第２の信号伝送装置は、
一対の電源端子のそれぞれに、一端を、その装置のグランドレベルに接続したコンデンサを接続し、該一対の電源端子より交流電源の供給を受けて、直流電源を生成するための電源部と、
上記一対の伝送線に接続される一対の送受信端子と、この一対の送受信端子に直流遮断コンデンサを介在させて接続された平衡型送受信器とを有し、上記電源部から直流電源を受けて作動される伝送回路部とを備えていることを特徴とする、
信号伝送システム。
【請求項２】
請求項１において、
上記信号伝送システムは、上記第１の信号伝送装置から電源供給を受けて作動する第３の信号伝送装置を更に含んでおり、
この第３の信号伝送装置は、
上記一対の送受信端子に接続された整流回路を含んだ受電部と、
上記一対の伝送線に接続される一対の送受信端子と、この一対の送受信端子に直流遮断コンデンサを介在させて接続された平衡型送受信器とを有し、上記第１の信号伝送装置の上記受電部から直流電源を受けて作動される伝送回路部と、
を備えたことを特徴とする信号伝送システム。
【請求項３】
請求項１、２において、
上記各伝送回路部に含まれる平衡型送受信器は、無極性の信号を送受信する構成としている信号伝送システム。
【発明の詳細な説明】
【技術分野】
【０００１】
本発明は、交流外部電源で駆動される信号伝送装置に関し、特に、信号伝送の対象となる伝送装置に、極性の反転された交流電源が供給されたときにも、伝送線を流れるリーク電流によるノイズの影響を抑制した信号伝送システムに関する。
【背景技術】
【０００２】
図１３は、信号伝送システムとして、テレビインターホンシステムを説明する図面である。
このシステムは主に家庭用であり、一対の伝送線３を介して互いに並列接続されているモニタ付親機１００ａ、モニタ付副親機１００ｂは、電源コンセント２ａ、２ｂへ電源コード先端のプラグを差し込まれ、商用１００Ｖの単相交流電源を受けて動作している。
モニタ付親機１００ａは、例えば居間などに設置されており、住戸の門扉などに設置されているカメラ付子機４００の呼出ボタン４０１の押下を検知すれば、スピーカ１２８ａを鳴動させて来客を家人に報知し、ＬＣＤモニタ１２６ａを起動して、カメラ付子機４００のカメラ４０２で撮影した来客の映像表示を開始する。このような来客の呼出しに対して、家人がモニタ付親機１００ａの操作ボタン１２４ａによって応答操作すれば、スピーカ１２８ａ、マイク１２８ｂとを用いて来客とのハンズフリー通話を開始させる。
モニタ付副親機１００ｂは、台所などに配置されており、モニタ付親機１００ａと同等の通話機能を有する。通話副親機１００ｃは、居室などに配置されており、訪問者の映像表示を表示する機能はないが、それ以外の機能は、モニタ付親機１００ａと同等である。更に、モニタ付親機１００ａ、モニタ付副親機１００ｂ、通話副親機１００ｃは、互いに内線通話をすることもできる。
【０００３】
このようなインターホンシステムでは、伝送線３には、音声信号、映像信号、制御信号が、図１２のように周波数分割多重方式で送受信されており、その信号のうち、音声信号は、周波数変調されないベースバンド信号となっている。
特許文献１には、このようなインターホンシステムにおいて、モニタテレビ回路部と電話回路部との間の信号伝送を、交流電源に対して高インピーダンスを有した絶縁トランスやフォトカプラを介して行なうことによって、電話回線側の接地と交流電源側の接地とを完全に分離させたモニタテレビ付電話機が提案されている。
【特許文献１】特開平６−１１３０２６号
【発明の開示】
【発明が解決しようとする課題】
【０００４】
ところで、一般の家庭などでは、単相３線式電力線の中性線（０）と２本の電圧線（＋、−）の一方を組み合わせて１００Ｖのコンセントとしており、電圧線（＋）と電圧線（−）は、互いに逆位相の交流電圧となっている。
そのため、家屋の各コンセントには、その２通りの組み合わせ、すなわち中性線（０）−電圧線（＋）、中性線（０）−電圧線（−）いずれかが配線施工され、このとき、前者の組み合わせを配線されたコンセントと、後者の組み合わせを配線されたコンセントとは、互いに逆位相の交流電源となる。
【０００５】
従って、このような場合には、モニタ付親機１００ａとモニタ付副親機１００ｂとの配置により、それらが互いに逆位相の交流電源で駆動される場合が起き、そのような電源供給を受けたモニタ付親機１００ａと、モニタ付副親機１００ｂとにはグランドレベル間の電圧差が交流電源周期で発生し、伝送線３にリーク電流を生じさせる。そして、この場合のリーク電流は、電圧線（＋）→モニタ付親機１００ａのグランドレベル→伝送線３→モニタ付副親機１００ｂのグランドレベル→電圧線（−）の経路を交流電源の周波数で往復し、このリーク電流の高調波が信号伝送にノイズ障害を起こし、特に通話音声に電源周波数の高調波成分を含むノイズが発生してしまうなどの問題があった。
しかしながら、前述の特許文献１では、伝送装置内部において、電話回線側の接地と交流電源側の接地とが交流電源に対して分離されるので、電話回線側の接地電位と交流電源側の接地電位との電位差に起因する雑音電流を遮断する利点はあるが、互いに逆位相の外部電源に接続された信号伝送装置間の伝送線を流れるリーク電流については何ら考慮されていない。
【０００６】
本発明は、このような事情に鑑み、互いに逆位相の交流電源で駆動されている伝送装置同士が伝送線を通じて信号を送受信しても、伝送線のリーク電流による信号伝送のノイズ障害を抑制し得る信号伝送システムを提供することを目的としている。
また、伝送線から電源を供給される信号伝送装置を付加しても、同様なノイズ障害が抑制できる信号伝送システムを提供することを目的としている。
【課題を解決するための手段】
【０００７】
上記の課題を解決するために、本発明の請求項１では、外部の交流電源に接続され、給電機能を有した第１の信号伝送装置と、外部の交流電源に接続され、給電機能のない第２の信号伝送装置とを接続し、第１の信号伝送装置から第２の信号伝送装置に伝送線を通じて相互に信号を伝送するようにした信号伝送システムを提案しており、このシステムでは、上記第１の信号伝送装置は、一対の電源端子のそれぞれに、一端をその装置のグランドレベルに接続したコンデンサを接続し、該一対の電源端子より交流電源の供給を受けて直流電源を生成するための電源部と、上記一対の伝送線に接続される一対の送受信端子と、この一対の送受信端子に直流遮断コンデンサを介在させて接続された平衡型送受信器とを有し、上記電源部から直流電源を受けて作動される伝送回路部と、上記電源部をチョークコイルを介して、上記一対の送受信端子に接続して、伝送線に給電する給電部とを備えており、上記第２の信号伝送装置は、一対の電源端子のそれぞれに、一端をその装置のグランドレベルに接続したコンデンサを接続し、該一対の電源端子より交流電源の供給を受けて、直流電源を生成するための電源部と、上記一対の伝送線に接続される一対の送受信端子と、この一対の送受信端子に直流遮断コンデンサを介在させて接続された平衡型送受信器とを有し、上記電源部から直流電源を受けて作動される伝送回路部とを備えている。
【０００８】
また、請求項２では、請求項１において、上記信号伝送システムは、上記第１の信号伝送装置から電源供給を受けて作動する第３の信号伝送装置を更に含んでおり、この第３の信号伝送装置は、上記一対の送受信端子に接続された整流回路を含んだ受電部と、上記一対の伝送線に接続される一対の送受信端子と、この一対の送受信端子に直流遮断コンデンサを介在させて接続された平衡型送受信器とを有し、上記第１の信号伝送装置の上記受電部から直流電源を受けて作動される伝送回路部とを備えている。
また、請求項３では、請求項１、２において、上記各伝送回路部に含まれる平衡型送受信器は、無極性の信号を送受信する構成としている。
【発明の効果】
【０００９】
請求項１によれば、第１の信号伝送装置と、第２の信号伝送装置とが、互いに逆位相の交流電源に接続された給電を受けている状態で、伝送線により信号を送受信しても、両者の平衡型送受信器により伝送線で平衡型信号を送受信するから、リーク電流が伝送線上でコモンモードのノイズとなり、受信側の信号伝送装装置で除去され、信号伝送の障害発生が抑制される。
更に請求項２によれば、給電部を備えた第１の信号伝送装置から、受電部を備えた第３の信号伝送装置へ電源を供給することにより、外部電源に接続されない第３の信号伝送装置を信号伝送システムに組み込むことができ、そのシステムにおいて、第１の信号伝送装置と、第２の信号伝送装置とが、互いに逆位相の外部電源に接続された状態であっても、第２の信号伝送装置と、第３の信号伝送装置両者の平衡型送受信器により伝送線で平衡型信号を送受信するから、リーク電流が伝送線上でコモンモードのノイズとなり、受信側の信号伝送装装置で除去され、信号伝送の障害発生が抑制される。
更に請求項３によれば、送受信される信号が無極性の平衡型信号であるから、信号伝送装置の送受信端子を極性の区別のために形状を異ならせて形成する必要がなく、配線施工も容易にできる。
【００１０】
このように、本発明では、ハンズフリーインターホンシステムにおいて、音声ノイズを効果的に抑制できる。このとき、通話のない場合にも音声信号を増幅して出力させる必要のある同時通話型のハンズフリー型のインターホンシステムなどに適用すれば、音声ノイズを抑制できる本発明の効果が一層発揮される。
ここに、本発明でいう装置のグランドレベルは、伝送装置の回路電源の基準電圧を意味するものである。
【発明を実施するための最良の形態】
【００１１】
以下、本発明の信号伝送システムを適用したハンズフリー型インターホンシステムを図について説明する。
まず、モニタ付親機１ａとモニタ付副親機１ｂとの信号伝送、例えば内線通話について説明する。モニタ付親機１ａ、モニタ付副親機１ｂとはいずれも、図１に示したように、外部の交流電源に接続されて動作している。この場合、モニタ付親機１ａとモニタ付副親機１ｂとの交流電源は、逆位相である場合と、同位相である場合の２通りがある。ここで、前者の逆位相の場合を以下、説明する。
【００１２】
モニタ付親機１ａの電源端子Ｔ１ａ、Ｔ２ａは、単相３線式電力線の地面接地された中性線（０）と電圧線（＋）による交流電源と接続され、モニタ付副親機１ｂの電源端子Ｔ１ｂ、Ｔ２ｂは、単相３線式電力線の中性線（０）と電圧線（−）による交流電源と接続されている。すなわち、モニタ付親機１ａから導出される電源コードのプラグが差し込まれた電源コンセント２ａには、１００Ｖ交流電源として、家屋分電盤から単相３線式電力線の中性線（０）と電圧線（＋）が配線施工されており、モニタ付副親機１ｂから導出される電源コードのプラグが差し込まれた電源コンセント２ｂには、単相３線式電力線の中性線（０）と電圧線（−）が配線施工されている。従って、中性線（０）は地面接地され、一方の電圧線（＋）と他方の電圧線（−）は、互いに反転位相の１００Ｖ交流電圧が印加されているから、モニタ付親機１ａとモニタ付副親機１ｂに供給される交流電源は、互いに逆位相となる。
【００１３】
ここで、モニタ付親機１ａの交流電源の電圧線（＋）が正電圧位相であるときには、電源部１１の２つのコンデンサＣ１あるいはＣ２による電圧線（＋）との容量結合によって、そのグランドレベル（Ｇ１）は、例えば、平衡点の電圧より高くなる一方、モニタ付副親機１ｂの交流電源の電圧線（−）は負電圧位相であるので、同様な容量結合によって、そのグランドレベル（Ｇ２）は、例えば平衡点の電圧より低くなる。
従って、このような条件において、モニタ付親機１ａとモニタ付副親機１ｂとが伝送線３通じて内線通話を行うなどして信号を送受信すれば、モニタ付親機１ａとモニタ付親機１ｂのグランドレベルＧ１，Ｇ２間の電圧差は、伝送線３を流れる電源周波数の交流リーク電流を生じさせる原因となる。そして、このリーク電流が高調波成分を有している場合には、低周波数側のベースバンドで伝送される音声信号が、高周波に変調されている映像信号や制御信号よりも大きく影響を受ける。
【００１４】
しかしながら、本発明の実施例によれば、モニタ付親機１ａの伝送回路部１２Ａに設けた平衡型送受信器３７Ａ、３７Ｂ（後述する）から伝送線３に伝播するリーク電流は、平衡型信号におけるコモンモードのノイズとなるが、このノイズは、受話側であるモニタ付親機１ｂの平衡型送受信器３７Ａによって除去される。
したがって、受話側のモニタ副親機１ｂでは、コモンモードのリーク電流による電圧を音声信号のノイズとして再生し音声信号を劣化させることがないから、具体的現象としてのハムノイズが効果的に抑制される。また、この現象はモニタ付親機１ａが受話側になったときも、同様であり、モニタ付親機１ａとモニタ付副親機１ｂとが同位相の交流電源を供給されている場合に、上記のノイズなどが発生しないことはいうまでもない。
【００１５】
次に、モニタ付親機１ａと通話副親機１ｃとの内線通話について説明する。
図１Ａは、モニタ付親機１ａ、モニタ付副親機１ｂ、及び通話副親機１ｃとの接続関係を説明する図面である。
モニタ付親機１ａは、一対の送受信端子Ｔ３ａ、Ｔ４ａから伝送線３へ電源を供給するために後述の給電部１６Ａを備える一方、通話副親機１ｃは、送受信端子Ｔ３ｃ、Ｔ４ｃから電源を受けるため後述する受電部１７を備えている。従って、通話副親機１ｃは、モニタ付親機１ａから伝送線３を通じて電源が供給されて動作する。
モニタ付親機１ａと通話副親機１ｃとの信号送受信においては、通話副親機１ｃがモニタ付親機１ａから電電を供給されているので、上記した条件下においては、両者のグランドレベルＧ１，Ｇ３の電圧変化は常に同時かつ同位相で発生する。従って、モニタ付親機１ａのグランドレベルＧ１が、電圧線（＋）と筐体の容量結合によって平衡点の電圧から変化したときには、通話副親機１ｃのグランドレベルＧ３も同様に変化する。
このために、モニタ付親機１ａと通話副親機１ｃとの間では、上述したリーク電流が伝送線３を伝播しないから、このリーク電流による電圧を原因とする通話音声の劣化は発生しない。
【００１６】
ここで、モニタ付副親機１ｂと通話副親機１ｃとの内線通話を説明すると、この場合、上述の通り、通話副親機１ｃとモニタ付親機１ａのグランドレベルＧ１，Ｇ２の変化は、交流電源の周波数に従って常に同時、同位相で発生する。ここで、モニタ付親機１ａとモニタ付副親機１ｂに供給される交流電源は、互いに逆位相であるから、通話副親機１ｃとモニタ付副親機１ｂとは、互いに逆位相の電源が供給されていることになり、これは、上述のように、通話副親機１ｃとモニタ付副親機１ｂとの間でリーク電流が伝送線３を伝播する原因となる。
しかし、本発明の実施例によれば、通話副親機１ｃの伝送回路部１２Ａに設けた平衡型送受信器３７Ａ、３７Ｂから伝送線３に伝播するリーク電流は、平衡型信号におけるコモンモードのノイズとなり、これは受話側であるモニタ付親機１ｂの平衡型送受信器３７Ａ、３７Ｂによって除去される。また、通話副親機１ｃが受話側になったときも、同様である。したがって、コモンモードのリーク電流による電圧を音声信号のノイズとして再生し音声信号を劣化させることがないから、具体的現象としてのノイズが効果的に抑制される。
【００１７】
ついで、本発明の要部実施例をなすモニタ付親機１ａとモニタ付副親機１ｂの構成を説明する。
まず、以下では、モニタ付親機１ａ、モニタ付副親機１ｂ、及び通話副親機１ｃの構成要素を詳細に説明する。
図２は、モニタ付親機１ａの構成を説明するブロック図である。
モニタ親機１ａは、交流電源に接続される一対の電源端子Ｔ１ａ、Ｔ２ａと、伝送線３と接続される一対の送受信端子Ｔ３ａ、Ｔ４ａと、交流電源を整流して装置の直流電源Ｖ１，−Ｖ１を生成する電源部１１と、電源部１１から直流電源Ｖ１，−Ｖ１を受けて作動し、制御部１３と受像部１４と通話部１５とが装置外部と信号を送受信するための伝送回路部１２Ａを備え、更に、一対の送受信端子Ｔ３ａ、Ｔ４ａから伝送線３を通じてカメラ付子機４や通話副親機１ｃのための電源を供給する給電部１６Ａを備えている。
【００１８】
図３は、モニタ付副親機１ｂの構成を示すブロック図である。
モニタ付副親機１ｂは、給電部１６を有さない点を除けば、モニタ付親機１ａと共通であるから、モニタ付親機１ａと共通の構成要素には同一の参照符号を付ける。なお、モニタ付副親機１ｂにおいて交流電源と接続される電源端子は、Ｔ１ｂ、Ｔ２ｂであり、伝送線３に接続される一対の送受信端子はＴ３ｂ、Ｔ４ｂとして示している。
ついで、各部の構成について説明する。
図４は電源部１１の構成を説明するブロック図である。
電源部１１では、一対の電源端子Ｔ１ａ、Ｔ２ａと、内部電源回路としてのスイッチング電源回路２１がコモンモードチョークコイルＬを介して接続されている。スイッチング電源回路２１は、交流電源をスイッチングし、整流して、装置の直流電源として正電圧（Ｖ１）と負電圧（−Ｖ１）を出力している。
そして、このようなスイッチング電源回路２１は、２つのコンデンサＣ１、Ｃ２を介して、交流電源間を接続し、更に、それらの共通の接続点を装置のグランドレベル（Ｇ１）に接続することで、一対の電源端子Ｔ１ａ、Ｔ２ａをグランドレベルに接続している。
ここに、２つのコンデンサＣ１，Ｃ２は高周波スイッチングノイズを吸収するものであり、２つのコンデンサＣ１，Ｃ２はそれぞれが独立してグランドレベルに接続されていてもよい。
なお、内部電源回路は、図例ではスイッチング電源回路２１で構成しているが、そのようなものには限定されず、外部からの交流電源の供給を受けて、整流して、直流電源を出力するものであればよい。
【００１９】
図４Ａは、給電部１６Ａの構成を説明するブロック図である。
給電部１６Ａは、直流電源（Ｖ１、−Ｖ１）がそれぞれ、伝送線３から送受信される信号を遮断するチョークコイルＬ１、Ｌ２を介して、送受信端子Ｔ３ａ、Ｔ４ａと接続され、伝送線３に給電する構成になっている。
図４Ｂは、給電部の変形例の構成を説明するブロック図である。
給電部１６Ｂでは、直流電源Ｖ１が伝送線３から送受信される信号を遮断するチョークコイルＬ１を介して、一方の送受信端子Ｔ３ａと接続され、他方の送受信端子Ｔ４ａは、チョークコイルＬ２を介して、装置のグランドレベル（Ｇ１）に接続されている。このような構成の給電部１６Ｂを用いれば、電源部１１は、正極性の電源（Ｖ１）だけを給電部１６Ｂへ供給すればよいので、簡単な構成の回路とすることができる。
【００２０】
図５は制御部の構成を説明するブロック図である。
制御部１３は、シリアル通信を行う非同期シリアル送受信器２２と、必要な表示をなす表示ＬＥＤ２３と、使用者が操作を入力する操作ボタン２４とが、装置制御を行うＣＰＵ２５に接続されている。ＣＰＵ２５は、ソフトウェアによって、装置の他の部分を制御している。
【００２１】
図６は、受像部１４の構成を説明するブロック図である。
受像部１４は、訪問者の映像を表示するＬＣＤモニタ２６がビデオ信号を処理して映像を表示させるビデオ回路２７に接続されている。
【００２２】
図７は、通話部の構成を説明するブロック図である。
通話部１５は、音声を入力して音声信号と成す集音マイク２８が第１の音声スイッチ２９と接続され、音声信号によって鳴動し、音声を出力するスピーカ３０が第２の音声スイッチ３１と接続されている。第１の音声スイッチ２９ａと第２の音声スイッチ３１ａは、スイッチ制御回路３２ａによって利得を調整制御されて、ハンズフリーの相互通話を可能にしている。他の構成として、音声スイッチ２９、３１の代わりに同時通話回路を用いることもできる。
従来、音声スイッチを用いた交互通話回路やエコーキャンセラを用いたハンズフリーインターホンでは、通話中のノイズはその通話信号に隠れているが、無音になって通話信号がなくなると現れていた。そのため通話の語尾や、通話信号のないときにノイズが聞こえたりするなど、特に無音時に気になるようなリーク電流によるノイズ障害の問題があったが、本発明を適用すれば、そのようなノイズ障害は無く、クリアな通話が可能となる。
【００２３】
図８Ａと図８Ｂとは、それぞれ伝送回路部１２Ａと、その変形例１２Ｂとの構成を説明するブロック図である。
図８Ａに示す伝送回路部１２Ａは、一対の送受信端子Ｔ３ａ、Ｔ４ａとコンデンサＣａ、Ｃｂを介して接続される平衡型送受信器３７Ａを有している。ここに、コンデンサＣａ、Ｃｂは、直流電圧が平衡型送受信器３７Ａに印加されることを防止する直流遮断用コンデンサである。平衡型送受信器３７Ａは、直流電源（Ｖ１）と、装置のグランドレベル（Ｇ１）との電圧で駆動され、一対の送受信端子Ｔ３ａ、Ｔ４ａに接続される伝送線３で平衡信号を伝送させる構成となっている。
このために、平衡型送受信器３７Ａは、混合分離器３３と非平衡信号線で接続される一方、一対の送受信端子Ｔ３ａ、Ｔ４ａとは平衡信号線で接続されており、混合分離器３３からの非平衡型信号による送受信と、伝送線３側からの平衡型信号による送受信とを中継する。混合分離器３３は、バンドパスフィルタ回路などで形成されており、制御信号を複変調する制御信号復変調回路３４、映像信号を復調する映像信号復調回路３５、音声信号を増幅通過させる音声増幅回路３６と接続されている。制御信号復変調回路３４は、制御部１３の非同期シリアル送受信器２２と制御信号を送受信する。映像信号復調回路３５は、受像部１４のビデオ回路２７へ映像信号を送信する。音声増幅回路３６は、通話部１５の第１の音声スイッチ２９又は第２の音声スイッチ３１と音声信号を送受信する。
【００２４】
図８Ｂに示す伝送回路部１２Ｂでは、平衡型送受信器３７Ｂが、直流電源が正電圧（Ｖ１）と負電圧（−Ｖ１）として供給されて駆動され、一対の送受信端子Ｔ３ａ、Ｔ４ａに接続される伝送線３に無極性の平衡信号を送受信できる構成にしている。
このような伝送回路部１２Ｂを備えるモニタ付親機、モニタ付副親機、及び通話副親機では、上述の実施例と同様の効果を奏するのみならず、伝送線３を無極性にできるから、モニタ付親機１ａ、モニタ付副親機１ｂのそれぞれの送受信端子Ｔ３ａ、Ｔ４ａ、Ｔ３ｂ、Ｔ４ｂ、Ｔ３ｃ、Ｔ４ｃを形状で区別して形成する必要がない。また、システムの配線施工も容易になる。
【００２５】
図８Ｃは、図８Ａに示された平衡型送受信器３７Ａの構成を説明する図面である。図において、平衡型送信アンプＴＡの平衡信号出力端子と、平衡型受信アンプＲＡとの平衡信号入力端子とは互いに接続され、図８Ａに示したようにコンデンサＣａ，Ｃｂを介して一対の送受信端子Ｔ３ａ、Ｔ４ａに接続されている。また、平衡型送信アンプＴＡ及び平衡型受信アンプＲＡは、いずれも直流電源（Ｖ１）とグランドレベル（Ｇ１）とで駆動されている。
ここで、平衡型送信アンプＴＡ及び平衡型受信アンプＲＡを直流電源の正電圧（Ｖ１）と負電圧（−Ｖ１）とで駆動されるようにすれば、図８Ｂに示された平衡型送受信器３７Ｂの構成にできる。
【００２６】
図９は、通話副親機１ｃの構成を説明するブロック図である。
通話副親機１ｃは、伝送線を接続する一対の送受信端子Ｔ３ｃ、Ｔ４ｃと、この一対の送受信端子Ｔ３ｃ、Ｔ４ｃに接続されて、装置の駆動電源、直流電源（Ｖ３）を得る受電部１７と、この受電部１７から直流電源（Ｖ３）を受けて作動し、制御部１３と通話部１５とに信号を送受信するための伝送回路部１２Ａを備えている。ここに伝送回路部１２Ａは前述した構成になっている。
【００２７】
図１０は、受電部１７の構成を説明するブロック図である。
受電部１７は、一対の送受信端子Ｔ３ｃ、Ｔ４ｃに接続されて、交流電源を整流する整流回路のダイオードブリッジＤＢと、ダイオードブリッジＤＢに接続されて直流電源（Ｖ３）を得るＤＣ／ＤＣコンバータ１８とを有しているが、このような構成に限定されない。
最後に、本発明の伝送装置を適用したテレビインターホンシステムについて説明する。
【００２８】
図１１は、このシステムの全体構成を示している。
このシステムは主に家庭用であり、一対の伝送線３を介して互いに並列接続されているモニタ付親機１ａ、モニタ付副親機１ｂは、電源コンセント２ａ、２ｂへ電源コード先端のプラグを差し込まれ、商用１００Ｖの交流電源を受けている。
モニタ付親機１ａは、例えば居間に設置されており、住戸の門扉に設置されているカメラ付子機４の呼出ボタン４１の押下を検知すれば、スピーカ２８ａを鳴動させて来客を家人に報知し、ＬＣＤモニタ２６ａを起動して、カメラ付子機４のカメラ４２で撮影した来客の映像表示を開始する。そして、家人がモニタ付親機１ａの操作ボタン２４ａによって応答操作すれば、来客とのハンズフリー通話を開始させる。
一方のモニタ付副親機１ｂは、台所に配置されており、モニタ付親機１ａと同等の機能を有する。通話副親機１ｃは、居室に配置されており、カメラ付子機４のカメラ４２で撮影した訪問者の映像表示を表示する機能はないが、それ以外の機能は、モニタ付親機１ａと同等である。更に、モニタ付親機１ａ、モニタ付副親機１ｂ、通話副親機１ｃは、互いに内線通話をすることもできる。
【００２９】
図１２は、テレビインターホンシステムで使用される周波数分割多重方式の信号伝送における各信号帯域を説明する図面である。
伝送線３は、音声信号、映像信号、制御信号が、周波数分割多重方式で送受信されている。その信号のうち、音声信号は、周波数変調されないベースバンド信号になっている。なお、この図は概念的なものであるから、音声信号、映像信号、制御信号の帯域、及び信号レベルは同一のレベルとして表現されている。
【図面の簡単な説明】
【００３０】
【図１】本発明を適用したハンズフリーインターホンシステムにおける、モニタ付親機とモニタ付副親機の接続関係を説明するブロック図である。
【図１Ａ】本発明を適用したハンズフリーインターホンシステムにおける、モニタ付親機、モニタ付副親機、及び通話副親機の接続関係を説明するブロック図である。
【図２】本発明の実施例のモニタ付親機の構成を説明するブロック図である。
【図３】本発明の実施例のモニタ付副親機の構成を説明するブロック図である。
【図４】電源部の構成を説明するブロック図である。
【図４Ａ】給電部の構成を説明するブロック図である。
【図４Ｂ】給電部の変形例の構成を説明するブロック図である。
【図５】制御部の構成を説明するブロック図である。
【図６】受像部の構成を説明するブロック図である。
【図７】通話部の構成を説明するブロック図である。
【図８Ａ】伝送回路部の構成を説明するブロック図である。
【図８Ｂ】伝送回路部の他例の構成を説明するブロック図である。
【図８Ｃ】平衡型送受信器の構成を説明するブロック図である。
【図９】通話副親機の構成を説明するブロック図である。
【図１０】受電部の構成を説明するブロック図である。
【図１１】本発明を適用したハンズフリー型のテレビインターホンシステムを説明する概念図である。
【図１２】周波数分割多重方式の信号伝送における各信号帯域を説明する図面である。
【図１３】従来のハンズフリー型のテレビインターホンシステムを説明する概念図である。
【符号の説明】
【００３１】
１ａ  第１の信号伝送装置（インターホンシステム親機）
１ｂ  第２の信号伝送装置（インターホンシステム副親機）
１ｃ  第２の信号伝送装置（インターホンシステム副親機）
２ａ、２ｂ  交流電源
３  伝送線
１１  電源部
１２Ａ、１２Ｂ、  伝送回路部
１６Ａ、１６Ｂ  給電部
２１  内部電源回路（スイッチング電源回路）
３７Ａ、３７Ｂ  平衡型送受信器
Ｃ１〜Ｃ４  コンデンサ
ＤＢ  整流回路
Ｌ１、Ｌ２  チョークコイル
Ｔ１ａ、Ｔ２ｂ、Ｔ１ｂ、Ｔ２ｂ  一対の電源端子
Ｔ３ａ、Ｔ４ｂ、Ｔ３ｂ、Ｔ４ｂ  一対の送受信端子
ＴＡ  平衡型送信アンプ
ＲＡ  平衡型受信アンプ
【図１】
2005184135.tif 000003
【図１Ａ】
2005184135.tif 000004
【図２】
2005184135.tif 000005
【図３】
2005184135.tif 000006
【図４】
2005184135.tif 000007
【図４Ａ】
2005184135.tif 000008
【図４Ｂ】
2005184135.tif 000009
【図５】
2005184135.tif 000010
【図６】
2005184135.tif 000011
【図７】
2005184135.tif 000012
【図８Ａ】
2005184135.tif 000013
【図８Ｂ】
2005184135.tif 000014
【図８Ｃ】
2005184135.tif 000015
【図９】
2005184135.tif 000016
【図１０】
2005184135.tif 000017
【図１１】
2005184135.tif 000018
【図１２】
2005184135.tif 000019
【図１３】
2005184135.tif 000020